(57)【要約】【課題】ハウジングの小型化と基板側端子部の基板占有領域の狭小化とを両立することができる配線基板接続用コネクタを提供する。【解決手段】本発明の配線基板接続用コネクタ１００は、ハウジング１１０と第１，第２コネクタピン１２０，１３０とを有する。第１，第２コネクタピン１２０，１３０は、平板形状の第１，第２コネクタ端子部１２１，１３１、第１，第２基板側端子部１２３，１３３、及び第１，第２コネクタ端子部１２１，１３１と第１，第２基板側端子部１２３，１３３とを連結する連結部１２２，１２３を有する。このうち、第１，第２基板側端子部１２３，１３３は、基板厚さ方向Ｙに延びる第１，第２挿入部１２３ｃ，１３３ｃを有する。さらに、第１，第２コネクタ端子部１２１，１３１は互いに格子状に配置され、第１，第２挿入部１２３ｃ，１３３ｃは、基板幅方向Ｚに１列に並んで配置されている。【選択図】  図１
2004234864.tif 000002
【特許請求の範囲】
【請求項１】
有底筒状で開口を有するハウジングと、
複数のコネクタピンであって、
上記ハウジングに包囲されつつ上記ハウジングの底部から上記ハウジングの軸線方向に延び、上記開口を通じて外部装置との接続が予定される平板形状のコネクタ端子部、
上記ハウジングの底部から上記ハウジングの上記開口とは反対側に突出し、上記軸線方向に対しその基板厚さ方向が直交する配線基板との接続が予定される基板側端子部であって、その先端に上記配線基板のスルーホール端子に挿入する挿入部を有し、上記挿入部が上記基板厚さ方向に延びる基板側端子部、及び
上記軸線方向に延び、上記ハウジングの上記底部を貫通し、上記コネクタ端子部と上記基板側端子部とを連結する連結部、を有するコネクタピンと、を備える配線基板接続用コネクタであって、
上記コネクタ端子部は互いに格子状に配置され、
上記基板側端子部の上記挿入部は、上記配線基板の板面に沿う方向のうち、上記軸線方向及び上記基板厚さ方向に直交する基板幅方向に１列に並んで配置されてなる配線基板接続用コネクタ。
【請求項２】
請求項１に記載の配線基板接続用コネクタであって、
前記コネクタ端子部は、その幅方向が前記基板幅方向に一致する向きで、前記基板厚さ方向にｍ個、上記基板幅方向にｎ個、格子状に配置され、
前記コネクタピンのうち、上記コネクタ端子部が最も上記基板厚さ方向前記配線基板側となるｎ個の第１コネクタピンの前記基板側端子部は、いずれも、幅方向が上記基板幅方向と一致する向きで上記基板厚さ方向に延びる平板形状で、自身の上記配線基板側端で前記挿入部に接続する第１延長部を有し、
上記コネクタピンのうち上記コネクタ端子部が上記基板厚さ方向上記配線基板側から数えて２〜ｍ番目となる第２〜第ｍコネクタピンの前記基板側端子部は、いずれも、板厚方向が上記基板幅方向と一致する向きで上記基板厚さ方向に延びる平板形状で、自身の上記配線基板側端で前記挿入部に接続する第２〜第ｍ延長部を有する配線基板接続用コネクタ。
【請求項３】
請求項１に記載の配線基板接続用コネクタであって、
前記コネクタ端子部は、その幅方向が前記基板厚さ方向に一致する向きで、上記基板厚さ方向にｍ個、前記基板幅方向にｎ個、格子状に配置され、
前記コネクタピンのうち、上記コネクタ端子部が最も上記基板厚さ方向前記配線基板側となるｎ個の第１コネクタピンの前記基板側端子部は、いずれも、板厚方向が上記基板幅方向と一致する向きで、前記軸線方向に延びる平板形状、あるいは上記軸線方向と上記基板厚さ方向とに延びる平板形状で、自身の上記配線基板側端で前記挿入部に接続する第１延長部を有し、
上記コネクタピンのうち上記コネクタ端子部が上記基板厚さ方向上記配線基板側から数えて２〜ｍ番目となる第２〜第ｍコネクタピンの前記基板側端子部は、いずれも、幅方向が上記基板幅方向と一致する向きで上記基板厚さ方向に延びる平板形状で、自身の上記配線基板側端で前記挿入部に接続する第２〜第ｍ延長部を有する配線基板接続用コネクタ。
【請求項４】
請求項１に記載の配線基板接続用コネクタであって、
前記コネクタ端子部は、その幅方向が前記基板厚さ方向に一致する向きで、上記基板厚さ方向にｍ個、前記基板幅方向にｎ個、格子状に配置され、
前記コネクタピンのうち、上記コネクタ端子部が最も上記基板厚さ方向前記配線基板側となるｎ個の第１コネクタピンの前記基板側端子部は、いずれも、板厚方向が上記基板幅方向と一致する向きで、前記軸線方向に延びる平板形状、あるいは上記軸線方向と上記基板厚さ方向とに延びる平板形状で、自身の上記配線基板側端で前記挿入部に接続する第１延長部を有し、
上記コネクタピンのうち上記コネクタ端子部が上記基板厚さ方向上記配線基板側から数えて２〜ｍ番目となる第２〜第ｍコネクタピンの前記基板側端子部は、いずれも、板厚方向が上記基板幅方向と一致する向きで上記基板厚さ方向に延びる平板形状で、自身の上記配線基板側端で前記挿入部に接続する第２〜第ｍ延長部を有する配線基板接続用コネクタ。
【請求項５】
請求項２〜請求項４のいずれか一項に記載の配線基板接続用コネクタであって、前記基板側端子部の前記挿入部同士の前記基板幅方向についてのピッチは、前記コネクタ端子部同士の上記基板幅方向についてのピッチの１／ｍの大きさである配線基板接続用コネクタ。
【請求項６】
請求項２〜請求項５のいずれか一項に記載の配線基板接続用コネクタであって、前記コネクタ端子部が前記基板幅方向に１列に並ぶｎ個のコネクタピンは、いずれも同一形状である配線基板接続用コネクタ。
【発明の詳細な説明】
【０００１】
【発明の属する技術分野】
本発明は、配線基板接続用コネクタに関する。
【０００２】
【従来の技術】
従来より、様々な配線基板接続用コネクタが提案されている（例えば、特許文献１、特許文献２参照）。
【０００３】
【特許文献１】
特開平０９−３２０７０６号公報（第３図）
【特許文献２】
特開２００１−１８５２６７号公報（第２，３図）
【０００４】
【発明が解決しようとする課題】
特許文献１の配線基板接続用コネクタでは、ハウジングに包囲されつつハウジングの軸線方向（図中左右方向）に延びるコネクタ端子部が、互いに格子状に配列されている。そして、このようなコネクタ端子部を有するコネクタピンは、それぞれＬ字状に屈曲され、配線基板と接続する導電性ターミナル（以下、基板側端子部ともいう）が上記軸線方向に直交する配線基板の基板厚さ方向（図中上下方向）に延びるように配置している（特許文献１、第３図参照）。
【０００５】
ところが、コネクタ端子部が基板厚さ方向について順に並ぶ第２コネクタピンと第１コネクタピンとが干渉しないようにするため、第２コネクタピンを、第１コネクタピンよりもハウジングから軸線方向に離れた位置で屈曲させている（特許文献１、第３図参照）。このため、基板側端子部は、コネクタ端子部と同様に、配線基板に格子状に配列される。このような配列の基板側端子部では、基板側端子部の基板占有領域が大きくなり、その分、電子部品等を実装する領域や、配線を引き回す領域が減少してしまう。特に、大電流用の配線基板接続用コネクタでは、基板側端子部を平板形状とすることがあり、この場合には、基板側端子部の基板占有領域が一層大きくなる傾向にあった。
【０００６】
なお、基板占有領域は、例えば、図１７に示す配線基板２０では、次のような領域である。図１７（ｂ）に示すように、ハウジング９１０から軸線Ｃの方向に最も離れて位置する２つの基板側端子部９３３に接するように、配線基板９０上に境界線Ｋを想定する。そして、この境界線Ｋによって分割された配線基板９０の２つの領域のうち、ハウジング９１０側の領域Ｍ（図中ハッチング部分）を基板占有領域とする。以下、本明細書では、基板占有領域を上記のように考えることとする。
【０００７】
また、基板側端子部が縦横に格子状に配列されている場合には、ハンダ付け装置によって基板側端子部をハンダ付けする際、２方向（上記軸線方向とこれに直交する方向）にハンダ付け装置あるいはワーク（配線基板接続用コネクタを装着した配線基板）動かさなければならなかった。
【０００８】
一方、特許文献２の配線基板接続用コネクタでは、基板側端子部は、配線基板の板面に沿う方向上記軸線方向及び基板厚さ方向に直交する基板幅方向（図３中左右方向）に一列に配列されている（特許文献２、図２，３参照）。このため、配線基板を特許文献１と同一とし、特許文献１の第１コネクタピンと同一形状のコネクタピンを一列に配列した場合には、基板側端子部の基板占有領域は、特許文献１のように、格子状に配列する場合に比して小さくなる。また、ハンダ付け装置によって基板側端子部をハンダ付けする際、基板幅方向にのみハンダ付け装置あるいはワークを動かせば良いので、基板側端子部が格子状に配列されている場合に比して、ハンダ付けが容易となる。
【０００９】
ところが、特許文献２の配線基板接続用コネクタでは、コネクタ端子部についても、基板側端子部と同様に基板幅方向に一列に配列させている。このため、特許文献１のように、縦横に格子状に配列させる場合に比して、コネクタ端子部を包囲するハウジングが大きくなってしまう。特に、大電流用の配線基板接続用コネクタでは、平板形状のコネクタ端子部を用いることが多いので、ハウジングが一層大きくなる傾向にあった。
【００１０】
本発明は、かかる現状に鑑みてなされたものであって、ハウジングの小型化と基板側端子部の基板占有領域の狭小化とを両立することができる配線基板接続用コネクタを提供することを目的とする。
【００１１】
【課題を解決するための手段、作用及び効果】
その解決手段は、有底筒状で開口を有するハウジングと、複数のコネクタピンであって、上記ハウジングに包囲されつつ上記ハウジングの底部から上記ハウジングの軸線方向に延び、上記開口を通じて外部装置との接続が予定される平板形状のコネクタ端子部、上記ハウジングの底部から上記ハウジングの上記開口とは反対側に突出し、上記軸線方向に対しその基板厚さ方向が直交する配線基板との接続が予定される基板側端子部であって、その先端に上記配線基板のスルーホール端子に挿入する挿入部を有し、上記挿入部が上記基板厚さ方向に延びる基板側端子部、及び上記軸線方向に延び、上記ハウジングの上記底部を貫通し、上記コネクタ端子部と上記基板側端子部とを連結する連結部、を有するコネクタピンと、を備える配線基板接続用コネクタであって、上記コネクタ端子部は互いに格子状に配置され、上記基板側端子部の上記挿入部は、上記配線基板の板面に沿う方向のうち、上記軸線方向及び上記基板厚さ方向に直交する基板幅方向に１列に並んで配置されてなる配線基板接続用コネクタである。
【００１２】
本発明の配線基板接続用コネクタでは、平板形状のコネクタ端子部を格子状に配置している。このため、コネクタ端子部を一列に配列する場合に比して、ハウジングを小さくでき、ひいては配線基板接続用コネクタを小型にできる。
さらに、基板側端子部の挿入部を基板幅方向に１列に並べて配置している。このため、基板側端子部の基板占有領域は、基板側端子部をコネクタ端子部と同様に、そのまま配線基板に格子状に配列する場合に比して小さくなる。さらに、ハンダ付け装置等によって基板側端子部をハンダ付けする際、基板幅方向にのみハンダ付け装置等あるいはワークを動かせば良いので、ハンダ付けが容易である。
【００１３】
さらに、上記配線基板接続用コネクタであって、前記コネクタ端子部は、その幅方向が前記基板幅方向に一致する向きで、前記基板厚さ方向にｍ個、上記基板幅方向にｎ個、格子状に配置され、前記コネクタピンのうち、上記コネクタ端子部が最も上記基板厚さ方向前記配線基板側となるｎ個の第１コネクタピンの前記基板側端子部は、いずれも、幅方向が上記基板幅方向と一致する向きで上記基板厚さ方向に延びる平板形状で、自身の上記配線基板側端で前記挿入部に接続する第１延長部を有し、上記コネクタピンのうち上記コネクタ端子部が上記基板厚さ方向上記配線基板側から数えて２〜ｍ番目となる第２〜第ｍコネクタピンの前記基板側端子部は、いずれも、板厚方向が上記基板幅方向と一致する向きで上記基板厚さ方向に延びる平板形状で、自身の上記配線基板側端で前記挿入部に接続する第２〜第ｍ延長部を有する配線基板接続用コネクタとすると良い。
【００１４】
本発明の配線基板接続用コネクタでは、コネクタ端子部は、幅方向が基板幅方向に一致する向きで、基板厚さ方向にｍ個、基板幅方向にｎ個、格子状に配置されている。そして、第１コネクタピンの基板側端子部の第１延長部は、その幅方向が基板幅方向と一致する向きで基板厚さ方向に延びる平板形状である。このように、本発明の第１コネクタピンは、コネクタ端子部と第１延長部との幅方向が一致しているため、複雑な曲げ加工をすることなく形成できる。さらに、第１コネクタピンは、コネクタ端子部及び第１延長部がいずれも平板形状であるため、これらを線形状（幅と厚みがほぼ一致する形状）とした場合に比して抵抗値が小さくなり、これらのピンに大電流を流した場合に有利となる。
【００１５】
さらに、第２〜第ｍコネクタピンでは、各基板側端子部の第２〜第ｍ延長部は、その板厚方向が基板幅方向と一致する向きで基板厚さ方向に延びる平板形状である。このように、第２〜第ｍ延長部を、板厚方向が基板幅方向と一致する向きで基板厚さ方向に延びるように配列した分、基板側端子部同士の基板幅方向についてのピッチを小さくすることできる。このため、配線基板の大きさを変えることなく、基板側端子部を基板幅方向に一列に並んで配置することができる。さらに、第２〜第ｍコネクタピンについても、コネクタ端子部及び第２〜第ｍ延長部がいずれも平板形状であるため、これらを線形状（幅と厚みがほぼ一致する形状）とした場合に比して抵抗値が小さくなり、これらのピンに大電流を流した場合に有利となる。
【００１６】
あるいは、前記配線基板接続用コネクタであって、前記コネクタ端子部は、その幅方向が前記基板厚さ方向に一致する向きで、上記基板厚さ方向にｍ個、前記基板幅方向にｎ個、格子状に配置され、前記コネクタピンのうち、上記コネクタ端子部が最も上記基板厚さ方向前記配線基板側となるｎ個の第１コネクタピンの前記基板側端子部は、いずれも、板厚方向が上記基板幅方向と一致する向きで、前記軸線方向に延びる平板形状、あるいは上記軸線方向と上記基板厚さ方向とに延びる平板形状で、自身の上記配線基板側端で前記挿入部に接続する第１延長部を有し、上記コネクタピンのうち上記コネクタ端子部が上記基板厚さ方向上記配線基板側から数えて２〜ｍ番目となる第２〜第ｍコネクタピンの前記基板側端子部は、いずれも、幅方向が上記基板幅方向と一致する向きで上記基板厚さ方向に延びる平板形状で、自身の上記配線基板側端で前記挿入部に接続する第２〜第ｍ延長部を有する配線基板接続用コネクタとすると良い。
【００１７】
本発明の配線基板接続用コネクタでは、第１コネクタピン以外の第２〜第ｍコネクタピンの第２〜第ｍ延長部は、いずれも、幅方向が基板幅方向と一致する向きで基板厚さ方向に延びる平板形状である。即ち、平板形状の第２〜第ｍ延長部の板厚方向を、ハウジングの軸線方向に一致させている。このため、第２〜第ｍ延長部に関し、ハウジングの軸線方向について、ハウジングの底部からの突出量を小さくすることができる。従って、本発明の配線基板接続用コネクタは、ハウジングの軸線方向について小型にでき、基板占有領域をより一層小さくすることができる。さらに、第１延長部及び第２〜第ｍ延長部は、いずれも平板形状である。従って、全てのコネクタピンについて、コネクタ端子部及び延長部がいずれも平板形状となるため、これらを線形状（幅と厚みがほぼ一致する形状）とした場合に比して抵抗値が小さくなり、これらのピンに大電流を流した場合に有利となる。
【００１８】
あるいは、前記配線基板接続用コネクタであって、前記コネクタ端子部は、その幅方向が前記基板厚さ方向に一致する向きで、上記基板厚さ方向にｍ個、前記基板幅方向にｎ個、格子状に配置され、前記コネクタピンのうち、上記コネクタ端子部が最も上記基板厚さ方向前記配線基板側となるｎ個の第１コネクタピンの前記基板側端子部は、いずれも、板厚方向が上記基板幅方向と一致する向きで、前記軸線方向に延びる平板形状、あるいは上記軸線方向と上記基板厚さ方向とに延びる平板形状で、自身の上記配線基板側端で前記挿入部に接続する第１延長部を有し、上記コネクタピンのうち上記コネクタ端子部が上記基板厚さ方向上記配線基板側から数えて２〜ｍ番目となる第２〜第ｍコネクタピンの前記基板側端子部は、いずれも、板厚方向が上記基板幅方向と一致する向きで上記基板厚さ方向に延びる平板形状で、自身の上記配線基板側端で前記挿入部に接続する第２〜第ｍ延長部を有する配線基板接続用コネクタとすると良い。
【００１９】
本発明の配線基板接続用コネクタでは、コネクタ端子部は、幅方向が基板厚さ方向に一致する向きで、基板厚さ方向にｍ個、基板幅方向にｎ個、格子状に配置されている。そして、第１コネクタピンの基板側端子部の第１延長部は、その板厚方向が基板幅方向と一致する向きで、軸線方向及び基板厚さ方向のうち少なくとも軸線方向に延びる平板形状である。さらに、第２〜第ｍコネクタピンでは、各基板側端子部の第２〜第ｍ延長部は、その板厚方向が基板幅方向と一致する向きで基板厚さ方向に延びる平板形状である。このように、本発明の配線基板接続用コネクタでは、全てのコネクタピンの延長部は、板厚方向が基板幅方向と一致する向きで挿入部まで延びている。このため、基板側端子部同士の基板幅方向についてのピッチを小さくすることできるので、配線基板自身の大きさを変えることなく、基板側端子部を基板幅方向に１列に並んで配置することができる。さらに、全てのコネクタピンについて、コネクタ端子部及び延長部がいずれも平板形状となるため、これらを線形状（幅と厚みがほぼ一致する形状）とした場合に比して抵抗値が小さくなり、これらのピンに大電流を流した場合に有利となる。
【００２０】
さらに、上記いずれかの配線基板接続用コネクタであって、前記基板側端子部の前記挿入部同士の前記基板幅方向についてのピッチは、前記コネクタ端子部同士の上記基板幅方向についてのピッチの１／ｍの大きさである配線基板接続用コネクタとすると良い。
【００２１】
本発明の配線基板接続用コネクタでは、挿入部同士の基板幅方向についてのピッチを、コネクタ端子部同士の基板幅方向についてのピッチの１／ｍの大きさとしている。このようなピッチで基板側端子部の挿入部を配列することで、コネクタ端子部を、基板厚さ方向にｍ個、基板幅方向にｎ個、格子状に配置した、いずれの配線基板接続用コネクタについても、配線基板自身の大きさを変えることなく、基板側端子部の挿入部を基板幅方向に１列に配置することが可能となる。
【００２２】
さらに、上記いずれかの配線基板接続用コネクタであって、前記コネクタ端子部が前記基板幅方向に１列に並ぶｎ個のコネクタピンは、いずれも同一形状である配線基板接続用コネクタとすると良い。
【００２３】
本発明の配線基板接続用コネクタでは、コネクタ端子部が基板幅方向に１列に並ぶｎ個のコネクタピンは、いずれも同一形状である。このため、総数ｍ×ｎ個のコネクタピンで構成される配線基板接続用コネクタにおいて、ｍ種類のコネクタピンで形成することができる。従って、形状の異なるｍ×ｎ個のコネクタピンで配線基板接続用コネクタを形成する場合に比して、部品点数を低減することができる。さらに、基板幅方向について同一のコネクタピンを配列するため、配線基板接続用コネクタを成型する治具の構造等、製造設備を簡略化を図ることができ、製造コストを低減できる。
【００２４】
【発明の実施の形態】
（実施形態１）
本発明の第１の実施の形態について、図１及び図２を参照して説明する。
図１は、実施形態１にかかる配線基板接続用コネクタ１００の三面図である。
配線基板接続用コネクタ１００は、ハウジング１１０と２本の第１コネクタピン１２０及び２本の第２コネクタピン１３０とを有する。ハウジング１１０は、樹脂からなり、筒状部１１２と底部１１１とを有している。
【００２５】
第１コネクタピン１２０は、金属からなり、第１コネクタ端子部１２１、第１基板側端子部１２３、及び第１コネクタ端子部１２１と第１基板側端子部１２３とを連結する第１連結部１２２を有している。このうち、第１コネクタ端子部１２１は、ハウジング１１０の筒状部１１２に包囲されつつ、底部１１１からハウジング１１０の軸線Ｃの方向Ｘ（図１（ａ）で紙面に直交する方向）に延びている。この第１コネクタ端子部１２１は、平板形状で、その板厚方向が軸線Ｃの方向Ｘと直交する基板厚さ方向Ｙ（図１（ａ）で上下方向）と一致し、その幅方向が軸線Ｃの方向Ｘ及び基板厚さ方向Ｙに直交する基板幅方向Ｚ（図１（ａ）で左右方向）に一致する向きで配置されている。さらに、第１連結部１２２も、平板形状で、その幅方向が基板幅方向Ｚに一致する向きで、底部１１１を軸線Ｃの方向Ｘに貫通している。
【００２６】
第１基板側端子部１２３は、底部１１１からハウジング１１０の開口１１２ｂとは反対側に突出したＬ字形状で、第１中継部１２３ｄ、第１延長部１２３ｂ、及び第１挿入部１２３ｃによって構成されている。このうち、第１中継部１２３ｄは、平板形状で、その幅方向が基板幅方向Ｚに一致する向きで第１連結部１２２から軸線Ｃの方向Ｘに延びている。第１延長部１２３ｂは、平板形状で、その幅方向が基板幅方向Ｚに一致する向きで第１中継部１２３ｄから屈曲して基板厚さ方向Ｙ（図１（ａ）で上下方向）に延びている。さらに、第１挿入部１２３ｃは、線形状で、第１延長部１２３ｂから基板厚さ方向Ｙに延びている。この第１挿入部１２３ｃは、配線基板１０のスルーホール端子１１に挿入される（図２参照）。
なお、本明細書では、いずれの実施形態においても、コネクタピンの挿入部が延びる方向を基板厚さ方向Ｙとする。
【００２７】
このように、第１コネクタピン１２０は、第１挿入部１２３ｃ以外の第１コネクタ端子部１２１、第１連結部１２２、第１中継部１２３ｄ、及び第１延長部１２３ｂがいずれも平板形状となっている。このため、これらを線形状とした場合に比して抵抗値が極めて小さくなり、これらのピンに大電流を流した場合に有利となる。
【００２８】
第２コネクタピン１３０は、金属からなり、第２コネクタ端子部１３１、第２基板側端子部１３３、及び第２コネクタ端子部１３１と第２基板側端子部１３３とを連結する第２連結部１３２を有している。このうち、第２コネクタ端子部１３１は、第１コネクタ端子部１２１と同様に、平板形状で、ハウジング１１０の筒状部１１２に包囲されつつ、その幅方向が基板幅方向Ｚに一致する向きで、底部１１１から筒状部１１２の軸線Ｃの方向Ｘに延びている。第２連結部１３２も、第１連結部１２２と同様に、平板形状で、その幅方向が基板幅方向Ｚに一致する向きで底部１１１を軸線Ｃの方向Ｘに貫通している。
【００２９】
第２基板側端子部１３３は、底部１１１からハウジング１１０の開口１１２ｂとは反対側に突出したＬ字形状で、第２中継部１３３ｄ、第２延長部１３３ｂ、及び第２挿入部１３３ｃによって構成されている。このうち、第２中継部１３３ｄは、平板形状で、その幅方向が軸線Ｃの方向Ｘに一致する向きで第２連結部１３２から基板幅方向Ｚに延びている。第２延長部１３３ｂは、平板形状で、その板厚方向が基板幅方向Ｚに一致する向きで第２中継部１３３ｄから屈曲して基板厚さ方向Ｙに延びている。さらに、第２挿入部１３３ｃは、第１挿入部１２３ｃと同様に、線形状で、第２延長部１３３ｂから基板厚さ方向Ｙに延びている。この第２挿入部１３３ｃも、配線基板１０のスルーホール端子１１に挿入される（図２参照）。
【００３０】
このように、第２コネクタピン１３０も、第１コネクタピン１２０と同様に、第２挿入部１３３ｃ以外の第２コネクタ端子部１３１、第２連結部１３２、第２中継部１３３ｄ、及び第２延長部１３３ｂがいずれも平板形状となっている。このため、これらを線形状とした場合に比して極めて抵抗値が小さくなり、これらのピンに大電流を流した場合に有利となる。
【００３１】
このような、配線基板接続用コネクタ１００では、第１コネクタ端子部１２１及び第２コネクタ端子部１３１が、図１（ａ）に示すように、格子状に配置されている。具体的には、２つの第１コネクタ端子部１２１が基板幅方向ＺにピッチＨの大きさで並び、同様に、２つの第２コネクタ端子部１３１が基板幅方向ＺにピッチＨの大きさで並びつつ、２つの第１コネクタ端子部１２１が２つの第２コネクタ端子部１３１より基板厚さ方向Ｙの配線基板側に位置するように、格子状に配置されている。このため、これらのコネクタ端子部を、基板幅方向Ｚに一列に配列する場合に比して、ハウジング１１０を小さくすることができる。なお、第１コネクタ端子部１２１及び第２コネクタ端子部１３１は、ハウジング１１０の筒状部１１２の開口１１２ｂを通じて、図示しない外部装置と接続する。
【００３２】
さらに、第１挿入部１２３ｃ及び第２挿入部１３３ｃの基板幅方向Ｚについてのピッチの大きさは、第１コネクタ端子部１２１の基板幅方向ＺについてのピッチＨに対しＨ／２としている。すなわち、基板厚さ方向Ｙに並ぶコネクタ端子部の数をｍ（本実施形態ではｍ＝２）とした場合に、挿入部の基板幅方向Ｚについてのピッチの大きさを、コネクタ端子部の基板幅方向Ｚについてのピッチの１／ｍの大きさにしている。このようにすることで、第１挿入部１２３ｃ及び第２挿入部１３３ｃを、図１（ｃ）に示すように、基板幅方向Ｚに１列に並んで配置できる。
ここで、第１挿入部１２３ｃ及び第２挿入部１３３ｃを配線基板１０のスルーホール端子１１に挿入し、配線基板接続用コネクタ１００を配線基板１０に接続したときの様子を図２に示す。そして、基板占有領域について、配線基板接続用コネクタ１００と、従来のように挿入部を格子状に配列した配線基板接続用コネクタとを比較する。
【００３３】
まず、図２（ａ）において、基板端子部が軸線Ｃの方向Ｘについて配線基板１０を占有する長さ（以下、軸線方向占有長さとも言う）について比較する。すると、配線基板接続用コネクタ１００の軸線方向占有長さＢ１は、従来のように挿入部を格子状に配列した配線基板接続用コネクタの軸線方向占有長さＣ１（図中２点鎖線で示す）の約半分になる。
【００３４】
従って、図２（ｂ）に示すように、基板側端子部の基板占有領域を比較すると、配線基板接続用コネクタ１００の基板占有領域Ｆ１（実線のハッチング部分）は、従来のように挿入部を格子状に配列した場合の基板占有領域Ｇ１（破線のハッチング部分）に比して小さくなる。このため、配線基板接続用コネクタ１００を用いることで、配線基板１０に電子部品を実装する領域や配線を引き回す領域等を大きくすることができる。さらに、ハンダ付け装置等によって第１，第２挿入部１２３ｃ，１３３ｃを配線基板１０にハンダ付けする際、基板幅方向Ｚにのみハンダ付け装置等あるいはワークを動かせば良いので、ハンダ付けが容易である。
【００３５】
以上説明した配線基板接続用コネクタ１００は、次のようにして製造する。
まず、板厚０．８ｍｍの金属板から、プレス加工によって所定の平板形状を有する２種類の金属体を２個ずつ打ち抜く。次いで、これらの２種類の金属体を所定の形状に曲げ、第１コネクタピン１２０及び第２コネクタピン１３０を形成する。次いで、所定の形状の射出成型金型を用いて、これに第１コネクタピン１２０及び第２コネクタピン１３０を所定の位置に配置させた状態で、ポリエチレン樹脂を射出成型し、ハウジング１１０を形成する。このようにして、配線基板接続用コネクタ１００を製造することができる。
【００３６】
（実施形態２）
次に、本発明の第２の実施の形態について、図３及び図４を参照して説明する。実施形態２の配線基板接続用コネクタ２００は、実施形態１の配線基板接続用コネクタ１００と比較して、コネクタピンの形状が異なり、その他の部分についてはほぼ同様である。従って、実施形態１と異なる部分を中心に説明し、その他の部分については説明を省略または簡略化する。
【００３７】
図３は、配線基板接続用コネクタ２００の三面図である。配線基板接続用コネクタ２００は、ハウジング１１０と２本の第１コネクタピン２２０及び２本の第２コネクタピン２３０とを有する。
第１コネクタピン２２０は、第１コネクタ端子部２２１、第１連結部２２２、第１基板側端子部２２３を有している。このうち、第１コネクタ端子部２２１は、板厚方向が基板幅方向Ｚに一致する向きで、ハウジング１１０の筒状部１１２に包囲されつつ、底部１１１からハウジング１１０の軸線Ｃの方向Ｘに延びている。さらに、第１連結部２２２も、平板形状で、その板厚方向が基板幅方向Ｚに一致する向きで底部１１１を貫通している。
【００３８】
第１基板側端子部２２３は、底部１１１からハウジング１１０の開口１１２ｂとは反対側に突出し、第１延長部２２３ｂ及び第１挿入部２２３ｃによって構成されている。このうち、第１延長部２２３ｂは、平板形状で、その板厚方向が基板幅方向Ｚに一致する向きで第１連結部２２２から軸線Ｃの方向Ｘに延びている。
このように、第１コネクタピン２２０は、第１挿入部２２３ｃ以外の第１コネクタ端子部２２１、第１連結部２２２、及び第１延長部２２３ｂがいずれも平板形状である。このため、これらを線形状とした場合に比して抵抗値が極めて小さくなり、これらのピンに大電流を流した場合に有利となる。
【００３９】
第２コネクタピン２３０は、第２コネクタ端子部２３１、第２連結部２３２、第２基板側端子部２３３を有している。このうち、第２コネクタ端子部２３１は、第１コネクタ端子部２２１と同様に、平板形状で、ハウジング１１０の筒状部１１２に包囲されつつ、その板厚方向が基板幅方向Ｚに一致する向きで、底部１１１から筒状部１１２の軸線Ｃの方向Ｘに延びている。第２連結部２３２も、第１連結部２２２と同様に、平板形状で、その板厚方向が基板幅方向Ｚに一致する向きで底部１１１を貫通している。
【００４０】
第２基板側端子部２３３は、底部１１１からハウジング１１０の開口１１２ｂとは反対側に突出し、第２中継部２３３ｄ、第２延長部２３３ｂ、及び第２挿入部２３３ｃによって構成されている。このうち、第２中継部２３３ｄは、平板Ｌ字形状で、その幅方向が軸線Ｃの方向Ｘに一致する向きで、基板幅方向Ｚに向かってＬ字状に屈曲している。第２延長部２３３ｂは、平板形状で、その幅方向が基板幅方向Ｚに一致する向きで第２中継部２３３ｄから屈曲して基板厚さ方向Ｙに延びている。
このように、第２コネクタピン２３０は、第２挿入部２３３ｃ以外の第２コネクタ端子部２３１、第２連結部２３２、第２中継部２３３ｄ、及び第２延長部２３３ｂがいずれも平板形状である。このため、これらを線形状とした場合に比して極めて抵抗値が小さくなり、これらのピンに大電流を流した場合に有利となる。
【００４１】
さらに、実施形態１の配線基板接続用コネクタ１００と同様に、第１挿入部２２３ｃ及び第２挿入部２３３ｃの基板幅方向Ｚについてのピッチの大きさは、第１コネクタ端子部１２１の基板幅方向ＺについてのピッチＨに対し、Ｈ／２の大きさとしている。このようにすることで、第１挿入部２２３ｃ及び第２挿入部２３３ｃを、図３（ｃ）に示すように、基板幅方向Ｚに１列に並んで配置できる。
ここで、第１挿入部２２３ｃ及び第２挿入部２３３ｃを配線基板２０のスルーホール端子２１に挿入し、配線基板接続用コネクタ２００を配線基板２０に接続したときの様子を図４に示す。そして、基板占有領域について、配線基板接続用コネクタ２００と、従来のように挿入部を格子状に配列した配線基板接続用コネクタとを比較する。
【００４２】
まず、図４（ａ）に示すように、軸線方向占有長さを比較すると、配線基板接続用コネクタ２００の軸線方向占有長さＢ２は、従来のように挿入部を格子状に配列した配線基板接続用コネクタの軸線方向占有長さＣ２（図中２点鎖線で示す）の約半分となる。
【００４３】
従って、図２（ｂ）に示すように、基板側端子部の基板占有領域を比較すると、配線基板接続用コネクタ２００の基板占有領域Ｆ２（実線のハッチング部分）は、従来のように挿入部を格子状に配列した場合の基板占有領域Ｇ２（破線のハッチング部分）に比して小さくなる。このため、配線基板接続用コネクタ２００を用いることで、配線基板２０に電子部品を実装する領域や配線を引き回す領域等を大きくすることができる。さらに、ハンダ付け装置等によって第１，第２挿入部２２３ｃ，２３３ｃを配線基板２０にハンダ付けする際、基板幅方向Ｚにのみハンダ付け装置等あるいはワークを動かせば良いので、ハンダ付けが容易である。
【００４４】
（実施形態３）
次に、本発明の第３の実施の形態について、図５及び図６を参照して説明する。実施形態３の配線基板接続用コネクタ３００は、実施形態１の配線基板接続用コネクタ１００と比較して、第３コネクタピンを２つ追加し、これに伴ってハウジングを大きくしたものであり、その他の部分についてはほぼ同様である。従って、実施形態１と異なる部分を中心に説明し、その他の部分については説明を省略または簡略化する。
【００４５】
図５は、配線基板接続用コネクタ３００の三面図である。配線基板接続用コネクタ３００は、ハウジング３１０と、実施形態１と同じ２本の第１コネクタピン１２０及び２本の第２コネクタピン１３０と、２本の第３コネクタピン３４０とを有する。第３コネクタピン３４０は、第３コネクタ端子部３４１、第３連結部３４２、第３基板側端子部３４３を有している。このうち、第３コネクタ端子部３４１は、実施形態１の第１，第２コネクタ端子部１１１，１２１と同様に、幅方向が基板幅方向Ｚに一致する向きで、ハウジング３１０の筒状部３１２に包囲されつつ、底部３１１からハウジング３１０の軸線Ｃの方向Ｘに延びている（図５（ａ），（ｂ）参照）。さらに、第３連結部３４２も、平板形状で、その幅方向が基板幅方向に一致する向きで底部３１１を軸線Ｃの方向Ｘに貫通している（図５（ｂ）参照）。
【００４６】
第３基板側端子部３４３は、底部３１１からハウジング３１０の開口３１２ｂとは反対側に突出したＬ字形状で、第３中継部３４３ｄ、第３延長部３４３ｂ、及び第３挿入部３４３ｃによって構成されている（図５（ｃ）参照）。このうち、第３中継部３４３ｄは、実施形態１の第２中継部１３３ｄを基板幅方向Ｚに延長した形状である。さらに、第３延長部３４３ｂは、実施形態１の第２延長部１３３ｂを基板厚さ方向Ｙに延長した形状である。
なお、第３コネクタピン３４０も、第３挿入部３４３ｃ以外の第３コネクタ端子部３４１、第３連結部３４２、第３中継部３４３ｄ、及び第３延長部３４３ｂがいずれも平板形状である。このため、これらを線形状とした場合に比して極めて抵抗値が小さくなり、これらのピンに大電流を流した場合に有利となる。
【００４７】
このような、配線基板接続用コネクタ３００では、第１コネクタ端子部１２１、第２コネクタ端子部１３１、及び第３コネクタ端子部３４１が、図５（ａ）に示すように、格子状に配置されている。具体的には、第１コネクタ端子部１２１、第２コネクタ端子部１３１、及び第３コネクタ端子部３４１が、それぞれ基板幅方向ＺにピッチＩの大きさで２つずつ並び、第１コネクタ端子部１２１、第２コネクタ端子部１３１、第３コネクタ端子部３４１の順に基板厚さ方向Ｙの配線基板側から並ぶように、格子状に配置されている。このため、これらのコネクタ端子部を、基板幅方向Ｚに一列に配列する場合に比して、ハウジング１１０を小さくすることができる。
【００４８】
さらに、第１挿入部１２３ｃ、第２挿入部１３３ｃ、及び第３挿入部３４３ｃの基板幅方向Ｚについてのピッチの大きさは、第１コネクタ端子部１２１の基板幅方向ＺについてのピッチＩに対し、Ｉ／３の大きさとしている。すなわち、基板厚さ方向に並ぶコネクタ端子部の数をｍ（本実施形態ではｍ＝３）とした場合に、挿入部の基板幅方向Ｚについてのピッチの大きさを、コネクタ端子部の基板幅方向Ｚについてのピッチの１／ｍの大きさにしている。このようにすることで、図５（ｃ）に示すように、第１挿入部１２３ｃ、第２挿入部１３３ｃ、及び第３挿入部３４３ｃを、基板幅方向Ｚに１列に並んで配置できる。
ここで、第１挿入部１２３ｃ、第２挿入部１３３ｃ、及び第３挿入部３４３ｃを配線基板３０のスルーホール端子３１に挿入し、配線基板接続用コネクタ３００を配線基板３０に接続したときの様子を図６に示す。そして、基板占有領域について、配線基板接続用コネクタ３００と、従来のように挿入部を格子状に配列した配線基板接続用コネクタとを比較する。
【００４９】
まず、図６（ａ）に示すように、配線基板接続用コネクタ３００の軸線方向占有長さＢ３は、従来のように挿入部を格子状に配列した配線基板接続用コネクタの軸線方向占有長さＣ３（図中２点鎖線で示す）に比して極めて小さくなる。
【００５０】
従って、図６（ｂ）に示すように、基板側端子部の基板占有領域を比較すると、配線基板接続用コネクタ１００の基板占有領域Ｆ３（実線のハッチング部分）は、従来のように挿入部を格子状に配列した場合の基板占有領域Ｇ３（破線のハッチング部分）に比して小さくなる。このため、配線基板接続用コネクタ３００を用いることで、配線基板３０に電子部品を実装する領域や配線を引き回す領域等を大きくすることができる。さらに、ハンダ付け装置等によって第１，第２，第３延長部１２３ｂ，１３３ｂ，３４３ｃを配線基板３０にハンダ付けする際、基板幅方向Ｚにのみハンダ付け装置等あるいはワークを動かせば良いので、ハンダ付けが容易である。
【００５１】
（実施形態４）
次に、本発明の第４の実施の形態について、図７及び図８を参照して説明する。実施形態４の配線基板接続用コネクタ４００は、実施形態３の配線基板接続用コネクタ３００と比較して、第３コネクタピンを変更し、これに伴ってハウジングを小さくしたものであり、その他の部分についてはほぼ同様である。従って、実施形態３と異なる部分を中心に説明し、その他の部分については説明を省略または簡略化する。
【００５２】
図７は、配線基板接続用コネクタ４００の三面図である。配線基板接続用コネクタ４００は、ハウジング４１０と、実施形態３と同じ２本の第１コネクタピン１２０及び２本の第２コネクタピン１３０と、２本の第３コネクタピン４４０とを有する。第３コネクタピン４４０は、第３コネクタ端子部４４１、第３連結部４４２、第３基板側端子部４４３を有している。このうち、第３コネクタ端子部４４１及び第３連結部４４２は、実施形態３の第３コネクタ端子部３４１及び第３連結部３４２と同形状である。しかし、第３基板側端子部４４３は、実施形態３の第３基板側端子部３４３と同じＬ字形状であるが、第３中継部４４３ｄの延長方向を、実施形態３の第３中継部３４３ｄとは基板幅方向Ｚについて反対側（図中左方向）としている。
【００５３】
このような、配線基板接続用コネクタ４００では、実施形態３の配線基板接続用コネクタ３００と同様に、第１挿入部１２３ｃ、第２挿入部１３３ｃ、及び第３挿入部４４３ｃの基板幅方向Ｚについてのピッチの大きさを、第１コネクタ端子部１２１の基板幅方向ＺについてのピッチＩに対し、Ｉ／３の大きさとしている。このようにすることで、図７（ｃ）に示すように、第１挿入部１２３ｃ、第２挿入部１３３ｃ、及び第３挿入部４４３ｃを、基板幅方向Ｚに１列に並んで配置できる。ところが、配線基板接続用コネクタ４００では、実施形態３の配線基板接続用コネクタ３００と異なり、第３延長部４４３ｂと第２延長部１３３ｂとを第１延長部１２３ｂについて対称の位置に配置している。このため、計６本の第１，第２，第３挿入部１２３ｃ，１３３ｃ，４４３ｃの群を、ハウジング４１０に対し、基板幅方向Ｚの中心に配置することができ、ハウジング４１０の基板幅方向Ｚについて、底部４１１の小型化を図ることができる。
【００５４】
ここで、配線基板接続用コネクタ４００を配線基板４０に接続したときの様子を図８に示す。図８（ａ）に示すように、配線基板接続用コネクタ４００の軸線方向占有長さＢ４は、従来のように挿入部を格子状に配列した配線基板接続用コネクタの軸線方向占有長さＣ４（図中２点鎖線で示す）に比して極めて小さくなる。従って、図８（ｂ）に示すように、実施形態３の配線基板接続用コネクタ３００と同様に、配線基板接続用コネクタ４００の基板占有領域Ｆ４（実線のハッチング部分）は、従来のように挿入部を格子状に配列した場合の基板占有領域Ｇ４（破線のハッチング部分）に比して小さくなる。
【００５５】
（実施形態５）
次に、本発明の第５の実施の形態について、図９及び図１０を参照して説明する。実施形態５の配線基板接続用コネクタ５００は、実施形態２の配線基板接続用コネクタ２００と比較して、第３コネクタピンを２つ追加し、これに伴ってハウジングを大きくしたものであり、その他の部分についてはほぼ同様である。従って、実施形態１と異なる部分を中心に説明し、その他の部分については説明を省略または簡略化する。
【００５６】
図９は、配線基板接続用コネクタ５００の三面図である。配線基板接続用コネクタ５００は、ハウジング５１０と、実施形態２と同じ２本の第１コネクタピン２２０及び２本の第２コネクタピン２３０と、２本の第３コネクタピン５４０とを有する。第３コネクタピン５４０は、第３コネクタ端子部５４１、第３連結部５４２、第３基板側端子部５４３を有している。このうち、第３コネクタ端子部５４１及び第３連結部５４２は、第２コネクタ端子部２３１及び第３連結部２３２と同形状である（図９（ａ），（ｂ）参照）。
【００５７】
第３基板側端子部５４３は、第３中継部５４３ｄ、第３延長部５４３ｂ、及び第３挿入部５４３ｃによって構成されている。このうち、第３中継部５４３ｄは、第２中継部２３３ｄを基板幅方向Ｚに延長したＬ字形状である。第３延長部５４３ｂは、第２延長部２３３ｂを基板厚さ方向Ｙに延長した平板形状である（図９（ｃ）参照）。なお、第３コネクタピン５４０も、第３挿入部５４３ｃ以外の第３コネクタ端子部５４１、第３連結部５４２、第３中継部５４３ｄ、及び第３延長部５４３ｂがいずれも平板形状である。このため、これらを線形状とした場合に比して極めて抵抗値が小さくなり、これらのピンに大電流を流した場合に有利となる。
【００５８】
このような、配線基板接続用コネクタ５００では、第１挿入部２２３ｃ、第２挿入部２３３ｃ、及び第３挿入部５４３ｃの基板幅方向Ｚについてのピッチの大きさを、第１コネクタ端子部２２１の基板幅方向ＺについてのピッチＪに対し、Ｊ／３の大きさとしている。すなわち、基板厚さ方向に並ぶコネクタ端子部の数をｍ（本実施形態ではｍ＝３）とした場合に、挿入部の基板幅方向Ｚについてのピッチの大きさを、コネクタ端子部の基板幅方向Ｚについてのピッチの１／ｍの大きさにしている。このようにすることで、図９（ｃ）に示すように、第１挿入部２２３ｃ、第２挿入部２３３ｃ、及び第３挿入部５４３ｃを、基板幅方向Ｚに１列に並んで配置できる。
【００５９】
ここで、配線基板接続用コネクタ５００を配線基板５０に接続したときの様子を図１０に示す。図１０（ａ）に示すように、配線基板接続用コネクタ５００の軸線方向占有長さＢ５は、従来のように挿入部を格子状に配列した配線基板接続用コネクタの軸線方向占有長さＣ５（図中２点鎖線で示す）に比して極めて小さくなる。従って、図１０（ｂ）に示すように、配線基板接続用コネクタ５００の基板占有領域Ｆ５（実線のハッチング部分）は、従来のように挿入部を格子状に配列した場合の基板占有領域Ｇ５（破線のハッチング部分）に比して小さくなる。
【００６０】
（実施形態６）
次に、本発明の第６の実施の形態にかかる配線基板接続用コネクタ６００について、図１１及び図１２を参照して説明する。図１１は、配線基板接続用コネクタ６００の三面図である。配線基板接続用コネクタ６００は、実施形態５の配線基板接続用コネクタ５００と比較して、第３基板側端子部の形状が異なる。具体的には、図１１（ｃ）に示すように、第３基板側端子部６４３の第３中継部６４３ｄの延長方向を、実施形態５の第３中継部５４３ｄとは基板幅方向Ｚについて反対側（図中左方向）としている。
【００６１】
このような、配線基板接続用コネクタ６００では、実施形態５の配線基板接続用コネクタ５００と同様に、第１挿入部２２３ｃ、第２挿入部２３３ｃ、及び第３挿入部６４３ｃの基板幅方向Ｚについてのピッチの大きさを、第１コネクタ端子部２２１の基板幅方向ＺについてのピッチＪに対し、Ｊ／３の大きさとしている。このようにすることで、図１１（ｃ）に示すように、第１挿入部２２３ｃ、第２挿入部２３３ｃ、及び第３挿入部６４３ｃを、基板幅方向Ｚに１列に並んで配置できる。ところが、配線基板接続用コネクタ６００では、実施形態５の配線基板接続用コネクタ５００と異なり、第３延長部６４３ｂと第２延長部２３３ｂとを第１延長部２２３ｂについて対称の位置に配置している。このため、計６本の第１，第２，第３挿入部２２３ｃ，２３３ｃ，６４３ｃの群を、ハウジング６１０に対し、基板幅方向の中心に配置することができ、ハウジング６１０の基板幅方向Ｚについて、底部６１１の小型化を図ることができる。
【００６２】
また、図１２（ｂ）に示すように、実施形態５の配線基板接続用コネクタ５００と同様に、配線基板接続用コネクタ６００の基板占有領域Ｆ６（実線のハッチング部分）は、従来のように挿入部を格子状に配列した場合の基板占有領域Ｇ６（破線のハッチング部分）に比して小さくなる。
【００６３】
（実施形態７）
次に、本発明の第７の実施の形態にかかる配線基板接続用コネクタ７００について、図１３及び図１４を参照して説明する。図１３は、配線基板接続用コネクタ７００の三面図である。配線基板接続用コネクタ７００は、実施形態５の配線基板接続用コネクタ５００と比較して、第２，第３基板側端子部の形状が異なる。具体的には、図１３（ｃ）に示すように、第２，第３基板側端子部７３３，７４３の第２，第３延長部７３３ｂ，７４３ｂの向きを、板厚方向が基板幅方向Ｚと一致するように配列している。
【００６４】
このような、配線基板接続用コネクタ７００では、実施形態５の配線基板接続用コネクタ５００と同様に、第１挿入部２２３ｃ、第２挿入部７３３ｃ、及び第３挿入部７４３ｃの基板幅方向Ｚについてのピッチの大きさを、第１コネクタ端子部２２１の基板幅方向ＺについてのピッチＪに対し、Ｊ／３の大きさとしている。このようにすることで、図１３（ｃ）に示すように、第１挿入部２２３ｃ、第２挿入部７３３ｃ、及び第３挿入部７４３ｃを、基板幅方向Ｚに１列に並んで配置できる。
【００６５】
ところが、前述のように、配線基板接続用コネクタ７００では、第２，第３延長部７３３ｂ，７４３ｂの向きを板厚方向が基板幅方向Ｚと一致するように配列している。このため、隣り合う延長部（例えば、第２延長部７３３ｂと第３延長部７４３ｂ）同士の間隙を、実施形態５の配線基板接続用コネクタ５００に比して大きくすることができるので、延長部同士の絶縁性に対して有利となる。また、このように延長部を配列することは、コネクタ端子部の基板厚さ方向Ｙに並ぶ数ｍが増えることに対して有利となる。ｍが増えるにしたがって、挿入部の基板幅方向Ｚについてのピッチが小さくなり、これに伴い、延長部同士の間隙も小さくなるからである。
【００６６】
また、図１４（ｂ）に示すように、実施形態５の配線基板接続用コネクタ５００と同様に、配線基板接続用コネクタ７００の基板占有領域Ｆ７（実線のハッチング部分）は、従来のように挿入部を格子状に配列した場合の基板占有領域Ｇ７（破線のハッチング部分）に比して小さくなる。
【００６７】
（実施形態８）
次に、本発明の第８の実施の形態にかかる配線基板接続用コネクタ８００について、図１５及び図１６を参照して説明する。図１５は、配線基板接続用コネクタ８００の三面図である。配線基板接続用コネクタ８００は、実施形態７の配線基板接続用コネクタ７００と比較して、第３基板側端子部の形状が異なる。具体的には、図１５（ｃ）に示すように、第３基板側端子部８４３の第３中継部８４３ｄの延長方向を、実施形態７の第３中継部７４３ｄとは基板幅方向Ｚについて反対側（図中左方向）としている。このようにすることで、第３延長部８４３ｂと第２延長部７３３ｂとを第１延長部２２３ｂについて対称の位置に配置できる。このため、計６本の第１，第２，第３挿入部２２３ｃ，７３３ｃ，８４３ｃの群を、ハウジング８１０に対し、基板幅方向の中心に配置することができ、ハウジング８１０の基板幅方向について、底部８１１の小型化を図ることができる。
【００６８】
また、図１６（ｂ）に示すように、実施形態７の配線基板接続用コネクタ７００と同様に、配線基板接続用コネクタ８００の基板占有領域Ｆ８（実線のハッチング部分）は、従来のように挿入部を格子状に配列した場合の基板占有領域Ｇ８（破線のハッチング部分）に比して小さくなる。
【００６９】
以上において、本発明を実施形態１〜８に即して説明したが、本発明は上記実施形態等に限定されるものではなく、その要旨を逸脱しない範囲で、適宜変更して適用できることはいうまでもない。
例えば、実施形態１〜８では、格子状に並ぶコネクタ端子部を基板厚さ方向Ｙに２または３個、基板幅方向Ｚに２個配列した場合、すなわち、ｍ＝２，３、ｎ＝２の場合において、基板側端子部の様々な形状及び配列方法について示した。
しかし、実施形態１〜８で示した基板側端子部の形状及び配列方法は、ｍ＝２，３、ｎ＝２以外の場合でも適用できる。具体的には、例えば、実施形態１ではｍ＝２、ｎ＝２の場合であるが、ｎ＝３とした場合には、実施形態１と同様に、第１，第２基板側端子１２３，１３３を１つずつ交互に、基板幅方向Ｚについてのピッチの大きさをそれぞれＨ／２として、ハウジングの開口とは反対側に配列すれば良い。
【図面の簡単な説明】
【図１】実施形態１にかかる配線基板接続用コネクタ１００の３面図である。
【図２】実施形態１にかかる配線基板接続用コネクタ１００を配線基板１０に装着したときの様子を示す説明図である。
【図３】実施形態２にかかる配線基板接続用コネクタ２００の３面図である。
【図４】実施形態２にかかる配線基板接続用コネクタ２００を配線基板２０に装着したときの様子を示す説明図である。
【図５】実施形態３にかかる配線基板接続用コネクタ３００の３面図である。
【図６】実施形態３にかかる配線基板接続用コネクタ３００を配線基板３０に装着したときの様子を示す説明図である。
【図７】実施形態４にかかる配線基板接続用コネクタ４００を配線基板４０に装着したときの様子を示す説明図である。
【図８】実施形態４にかかる配線基板接続用コネクタ４００を配線基板４０に装着したときの様子を示す説明図である。
【図９】実施形態５にかかる配線基板接続用コネクタ５００を配線基板５０に装着したときの様子を示す説明図である。
【図１０】実施形態５にかかる配線基板接続用コネクタ５００を配線基板５０に装着したときの様子を示す説明図である。
【図１１】実施形態６にかかる配線基板接続用コネクタ６００を配線基板６０に装着したときの様子を示す説明図である。
【図１２】実施形態６にかかる配線基板接続用コネクタ６００を配線基板６０に装着したときの様子を示す説明図である。
【図１３】実施形態７にかかる配線基板接続用コネクタ７００を配線基板７０に装着したときの様子を示す説明図である。
【図１４】実施形態７にかかる配線基板接続用コネクタ７００を配線基板７０に装着したときの様子を示す説明図である。
【図１５】実施形態８にかかる配線基板接続用コネクタ８００を配線基板８０に装着したときの様子を示す説明図である。
【図１６】実施形態８にかかる配線基板接続用コネクタ８００を配線基板８０に装着したときの様子を示す説明図である。
【図１７】基板占有領域を説明するための説明図である。
【符号の説明】
１００，２００，３００，４００，５００，６００，７００，８００  配線基板接続用コネクタ
１１０，３１０，４１０，５１０，６１０  ハウジング
１１１，３１１，４１１，５１１，６１１  ハウジングの底部
１２０，２２０  第１コネクタピン
１２１，２２１  第１コネクタ端子部
１２２，２２２  第１連結部
１２３，２２３  第１基板側端子部
１２３ｂ，２２３ｂ  第１延長部
１２３ｃ，２２３ｃ  第１挿入部
１３０，２３０，７３０  第２コネクタピン
１３１，２３１，７３１  第２コネクタ端子部
１３２，２３２，７３２  第２連結部
１３３，２３３，７３３  第２基板側端子部
１３３ｂ，２３３ｂ，７３３ｂ  第２延長部
１３３ｃ，２３３ｃ，７３３ｃ  第２挿入部
３４０，４４０，５４０，６４０，７４０，８４０  第３コネクタピン
３４１，４４１，５４１，６４１，７４１，８４１  第３コネクタ端子部
３４２，４４２，５４２，６４２，７４２，８４２  第３連結部
３４３，４４３，５４３，６４３，７４３，８４３  第３基板側端子部
３４３ｂ，４４３ｂ，５４３ｂ，６４３ｂ，７４３ｂ，８４３ｂ  第３挿入部
３４３ｃ，４４３ｃ，５４３ｃ，６４３ｃ，７４３ｃ，８４３ｃ  第３基板側端子部
Ｃ  ハウジングの軸線
Ｘ  ハウジングの軸線方向
Ｙ  基板厚さ方向
Ｚ  基板幅方向
Ｆ１，Ｆ２，Ｆ３，Ｆ４，Ｆ５，Ｆ６，Ｆ７，Ｆ８  基板占有領域
【図１】
2004234864.tif 000003
【図２】
2004234864.tif 000004
【図３】
2004234864.tif 000005
【図４】
2004234864.tif 000006
【図５】
2004234864.tif 000007
【図６】
2004234864.tif 000008
【図７】
2004234864.tif 000009
【図８】
2004234864.tif 000010
【図９】
2004234864.tif 000011
【図１０】
2004234864.tif 000012
【図１１】
2004234864.tif 000013
【図１２】
2004234864.tif 000014
【図１３】
2004234864.tif 000015
【図１４】
2004234864.tif 000016
【図１５】
2004234864.tif 000017
【図１６】
2004234864.tif 000018
【図１７】
2004234864.tif 000019